【手続補正書】
【提出日】令和2年10月6日(2020.10.6)
【手続補正１】
【補正対象書類名】特許請求の範囲
【補正対象項目名】全文
【補正方法】変更
【補正の内容】
【特許請求の範囲】
【請求項１】
包装された感湿農薬製品であって、
（ａ）少なくとも１つの感湿農薬製品と、
（ｂ）前記感湿農薬製品を収容する、少なくとも１つの１次包装体と、
（ｃ）前記１次包装体を保持することができ、複数の層を有する複合積層体から作製される、少なくとも１つの２次包装体と
を含む、包装された感湿農薬製品であって、
前記１次包装体が、ポリエチレングリコール、又はポリエチレングリコールとポリプロピレンオキシドとのコポリマー、ポリエチレングリコールとポリエチレンブチレンとのコポリマー、およびポリエチレングリコールとポリカプロラクトンとのコポリマーから選ばれるポリエチレングリコールコポリマーを含むブロックコポリマー；ポリビニルピロリドン；ポリビニルアルコール；ポリアクリル酸；ポリアクリルアミド；Ｎ−（２−ヒドロキシプロピル）メタクリルアミド；ジビニルエーテル−無水マレイン酸；ポリオキサゾリン；ポリホスフェート；ポリホスファゼン；キサンタンガム；ペクチン；キトサン誘導体；デキストラン；カラギーナン；グアーガム；ヒドロキシプロピルメチルセルロース、ヒドロキシプロピルセルロース、ヒドロキシエチルセルロース、及びカルボキシメチルセルロースナトリウムから選択されるセルロースエーテル；並びにデンプンまたはデンプン誘導体からなる群より選択される水溶性ポリマーから作製される水溶性パウチであり、
前記２次包装体の前記複数の層が、下記層：
熱可塑性ポリマーからなる少なくとも１つの第１の層であって、ポリアミドイミド、ポリエーテルスルホン、ポリエーテルイミド、ポリアリレート、ポリスルホン、ポリアリレート、ポリスルホン、ポリアミド、ポリメチルメタクリレート、ポリ塩化ビニル、アクリロニトリルブタジエンスチレン、ポリスチレン、ポリエーテルエーテルケトン、ポリテトラフルオロエチレン、ポリアミド６−６、ポリアミド１１、ポリフェニレンスルフィド、ポリエチレンテレフタラート、ポリオキシメチレン、ポリプロピレン、高密度ポリエチレン、低密度ポリエチレン、ポリプロピレン、ポリスチレン、ポリメチルメタクリレート、ポリ塩化ビニル、天然ゴム、ポリジメチルシロキサン、ポリオキシメチレン、ポリカーボネート、ポリエーテルエーテルケトン、ナイロン６、ポリフェニレンスルフィド、ポリエーテルスルホン、ポリエーテルイミド、及び液晶ポリマーから選択される熱可塑性ポリマーの第１の層、
前記熱可塑性ポリマーの層の間に配置されるか、又は前記熱可塑性ポリマーの層の少なくとも１つの上に堆積される、少なくとも１つの金属層、および
熱可塑性ポリマーからなる少なくとも１つの第２の層であって、ポリアミドイミド、ポリエーテルスルホン、ポリエーテルイミド、ポリアリレート、ポリスルホン、ポリアリレート、ポリスルホン、ポリアミド、ポリメチルメタクリレート、ポリ塩化ビニル、アクリロニトリルブタジエンスチレン、ポリスチレン、ポリエーテルエーテルケトン、ポリテトラフルオロエチレン、ポリアミド６−６、ポリアミド１１、ポリフェニレンスルフィド、ポリエチレンテレフタラート、ポリオキシメチレン、ポリプロピレン、高密度ポリエチレン、低密度ポリエチレン、ポリプロピレン、ポリスチレン、ポリメチルメタクリレート、ポリ塩化ビニル、天然ゴム、ポリジメチルシロキサン、ポリオキシメチレン、ポリカーボネート、ポリエーテルエーテルケトン、ナイロン６、ポリフェニレンスルフィド、ポリエーテルスルホン、ポリエーテルイミド、及び液晶ポリマーから選択される熱可塑性ポリマーの第２の層
から選ばれる複数の層を有する、包装された製品。
【請求項２】
前記１次包装体が、ポリビニルアルコール製の水溶性パウチであり、
前記２次包装体が、複数の層を有する複合積層体であって、前記複数の層が、
少なくとも１つの、ポリエチレンテレフタレートの第１の層と、
前記ポリエチレンテレフタレートの層の間に配置される、又は前記ポリエチレンテレフタレートの層の少なくとも１つの上に堆積される、少なくとも１つのアルミニウム層と、
少なくとも１つの、ポリエチレンテレフタレートの第２の層と
を含む、請求項１に記載の包装された製品。
【請求項３】
前記１次包装体が、ポリビニルアルコール製の水溶性パウチであり、
前記２次包装体が、複数の層を有する複合積層体であって、前記複数の層が、
少なくとも１つの、ポリエチレンテレフタレートの第１の層と、
少なくとも別の、ポリエチレンテレフタラートの第２の層と、
前記ポリエチレンテレフタラートの層の間に配置される、又は前記ポリエチレンテレフタラートの層のうちの少なくとも１つの上に堆積される、少なくとも１つのアルミニウム層と、
少なくとも１つの低密度ポリエチレンの層
を含む、請求項１に記載の包装された製品。
【請求項４】
前記１次包装体が、ポリビニルアルコール製の水溶性パウチであり、
前記２次包装体が、複数の層を有する複合積層体であって、前記複数の層が、
少なくとも１つの、ポリエチレンテレフタレートの第１の層と、
前記ポリエチレンテレフタラートの層の間に配置される、又は前記ポリエチレンテレフタラートの層のうちの少なくとも１つの上に堆積される、少なくとも１つのアルミニウム層と、
少なくとも１つの低密度ポリエチレンの層
を含む、請求項１に記載の包装された製品。
【請求項５】
前記感湿農薬製品が、アセフェート、クロラミンリン、イソカルボホス、イソフェンホス、イソフェンホス−メチル、メタミドホス、ホスグリシン、プロペタンホス、およびそれらの製剤からなる群から選択される、ホスホルアミドチオ酸殺虫剤である、請求項１〜４のいずれか一項に記載の包装された製品。
【請求項６】
前記感湿農薬製品が、アセフェート又はアセフェート製剤である、請求項５に記載の包装された製品。
【請求項７】
前記感湿農薬製品が、アセフェート９７％のドライフロアブル剤又はアセフェート５０％＋イミダクロプリド１．８％のＳＰ製剤である、請求項６に記載の包装された製品。
【請求項８】
感湿農薬製品を包装する方法であって、
ポリエチレングリコール、又はポリエチレングリコールとポリプロピレンオキシドとのコポリマー、ポリエチレングリコールとポリエチレンブチレンとのコポリマー、およびポリエチレングリコールとポリカプロラクトンとのコポリマーから選ばれるポリエチレングリコールコポリマーを含むブロックコポリマー；ポリビニルピロリドン；ポリビニルアルコール；ポリアクリル酸；ポリアクリルアミド；Ｎ−（２−ヒドロキシプロピル）メタクリルアミド；ジビニルエーテル−無水マレイン酸；ポリオキサゾリン；ポリホスフェート；ポリホスファゼン；キサンタンガム；ペクチン；キトサン誘導体；デキストラン；カラギーナン；グアーガム；ヒドロキシプロピルメチルセルロース、ヒドロキシプロピルセルロース、ヒドロキシエチルセルロース、及びカルボキシメチルセルロースナトリウムから選択されるセルロースエーテル；並びにデンプンまたはデンプン誘導体から選択される水溶性ポリマーから作製される水溶性パウチである、第１の１次包装体の中に前記感湿農薬製品を配置することと、
前記１次包装体内に収容された前記感湿農薬製品を保持することができる２次包装体の中に、前記１次包装体を配置することであって、前記２次包装体が複数の層を有する複合積層体から作製され、前記２次包装体の前記複数の層が、下記層：
熱可塑性ポリマーからなる少なくとも１つの第１の層であって、ポリアミドイミド、ポリエーテルスルホン、ポリエーテルイミド、ポリアリレート、ポリスルホン、ポリアリレート、ポリスルホン、ポリアミド、ポリメチルメタクリレート、ポリ塩化ビニル、アクリロニトリルブタジエンスチレン、ポリスチレン、ポリエーテルエーテルケトン、ポリテトラフルオロエチレン、ポリアミド６−６、ポリアミド１１、ポリフェニレンスルフィド、ポリエチレンテレフタラート、ポリオキシメチレン、ポリプロピレン、高密度ポリエチレン、低密度ポリエチレン、ポリプロピレン、ポリスチレン、ポリメチルメタクリレート、ポリ塩化ビニル、天然ゴム、ポリジメチルシロキサン、ポリオキシメチレン、ポリカーボネート、ポリエーテルエーテルケトン、ナイロン６、ポリフェニレンスルフィド、ポリエーテルスルホン、ポリエーテルイミド、及び液晶ポリマーから選択される熱可塑性ポリマーの第１の層、および
前記熱可塑性ポリマーの層の間に配置されるか、又は前記熱可塑性ポリマーの層の少なくとも１つの上に堆積される、少なくとも１つの金属層、および
熱可塑性ポリマーからなる少なくとも１つの第２の層であって、ポリアミドイミド、ポリエーテルスルホン、ポリエーテルイミド、ポリアリレート、ポリスルホン、ポリアリレート、ポリスルホン、ポリアミド、ポリメチルメタクリレート、ポリ塩化ビニル、アクリロニトリルブタジエンスチレン、ポリスチレン、ポリエーテルエーテルケトン、ポリテトラフルオロエチレン、ポリアミド６−６、ポリアミド１１、ポリフェニレンスルフィド、ポリエチレンテレフタラート、ポリオキシメチレン、ポリプロピレン、高密度ポリエチレン、低密度ポリエチレン、ポリプロピレン、ポリスチレン、ポリメチルメタクリレート、ポリ塩化ビニル、天然ゴム、ポリジメチルシロキサン、ポリオキシメチレン、ポリカーボネート、ポリエーテルエーテルケトン、ナイロン６、ポリフェニレンスルフィド、ポリエーテルスルホン、ポリエーテルイミド、及び液晶ポリマーから選択される熱可塑性ポリマーの第２の層
から選ばれる複数の層を有する、方法。